(57)【特許請求の範囲】
【請求項１】
複数の地域と複数の旅行者を対象として、１つの前記地域と１人の前記旅行者とからなる組ごとに、当該地域に対する当該旅行者の満足度である地域旅行者満足度が記憶される地域旅行者満足度記憶手段と、
前記地域ごとに、前記地域旅行者満足度記憶手段から読み出した当該地域についての全ての地域旅行者満足度に基づいて、当該地域についての前記全ての旅行者の満足度である地域総合満足度を算出し、当該地域総合満足度が大きい地域を選択する地域選択手段と、
前記選択された地域を含む経路候補ごとに、前記地域旅行者満足度記憶手段から読み出した当該経路候補の全ての地域についての全ての地域旅行者満足度に基づいて、当該経路候補についての前記全ての旅行者の満足度である経路候補総合満足度を算出する経路探索手段と、
前記経路候補ごとに当該経路候補について計算された経路候補総合満足度が記憶される経路候補総合満足度記憶手段と、
前記経路候補総合満足度記憶手段に記憶された経路候補総合満足度が大きい経路候補を選択する選択手段と
を備えることを特徴とする旅行計画作成装置。
【請求項２】
前記組ごとに、当該組の旅行者に関する興味語が当該組の地域に強く関連するほど高くなるような地域旅行者満足度を算出し、前記地域旅行者満足度記憶手段に記憶させる地域旅行者満足度算出手段
を備えることを特徴とする請求項１記載の旅行計画作成装置。
【請求項３】
前記旅行計画作成装置は、前記経路候補に対応する経路候補情報が記憶される経路候補情報記憶手段を備え、
前記経路探索手段は、
前記選択された地域の識別情報を含む経路候補情報を前記経路候補情報記憶手段に記憶させ、
（１）前記経路候補情報記憶手段から１つの経路候補情報を取り出すとともに前記経路候補情報記憶手段から当該経路候補情報を削除し、（２）前記各地域につき、当該地域の識別情報を当該経路候補情報に加え、（３）加えた後の経路候補情報内で識別情報の重複がなく、且つ、対応する経路候補での旅行時間が所定の旅行時間以下であることを条件に経路候補総合満足度を計算し、（４）当該経路候補総合満足度を前記経路候補総合満足度記憶手段に記憶させ、（５）当該経路候補情報を前記経路候補情報記憶手段に記憶させる処理（１、２、３、４、５）を、前記経路候補情報記憶手段に経路候補情報がある限り行う
ことを特徴とする請求項１または２記載の旅行計画作成装置。
【請求項４】
請求項１ないし３のいずれかに記載の旅行計画作成装置としてコンピュータを機能させるためのコンピュータプログラム。
【発明の詳細な説明】
【技術分野】
【０００１】
本発明は、旅行者全員が総じて満足するような旅行計画の作成を可能とする技術に関する。
【背景技術】
【０００２】
旅行に行く際には、旅行計画を作成して旅行先に行くのが一般的である。ここで、旅行計画とは、訪れる複数の場所とそれらの場所に訪れる順序を表したものである。旅行計画を作成する時間がなかったり面倒だったりする場合には、旅行会社が提供するツアーに申し込むことで、旅行会社が作成した旅行計画に従って旅行を楽しむことができる。しかし、このようなツアーの旅行計画では訪れる場所が有名な観光名所に限定されることが多く、必ずしも旅行者の興味に合った旅行計画ではないため、旅行者は多少の妥協を余儀なくされることが多いと考えられる。旅行者が自分の興味に合った旅行計画を立てる方法としては、旅行会社に自分の希望を伝えて旅行計画を作成してもらうことが考えられるが、そのためには多くの時間と費用を必要とするという問題がある。また、旅行者自ら旅行計画を作成することも考えられるが、行きたい場所が特に決まっていないような場合には、どの場所でどのようなものが見られるかなどの幅広い知識を必要とするため、理想的な旅行計画を作成することは難しい。そのため、旅行者の興味に基づいて旅行計画を作成するシステムがあれば便利である。
【０００３】
旅行者の興味に基づき旅行計画を作成する技術としては、特許文献１のように、旅行者が入力した旅行条件データと旅行業者が入力した旅行情報データから、混合整数計画問題を利用して最適解を求めることで旅行計画を作成する方法が提案されている。旅行条件としては、旅行開始日時、旅行終了日時、人数、希望するアクティビティ（興味のあること、やりたいこと）とその優先度、予算額などを入力することが想定されている。
【先行技術文献】
【特許文献】
【０００４】
【特許文献１】特許第４２６８９７３号公報
【発明の概要】
【発明が解決しようとする課題】
【０００５】
しかしながら、特許文献１の方法では、複数人での旅行の際、それぞれの興味が異なる場合に対応できないため、全員が総じて満足する旅行計画が作成できないという問題がある。人数とアクティビティを入力としているが、このとき入力するアクティビティはあらかじめ旅行者全員で相談して実施しようと決めたものを設定しなければならない。その過程で旅行者の誰かが妥協していたりして、必ずしも全員の望むアクティビティとはならない。アクティビティを複数用意しても、旅行者のうちの誰かの意見が強く反映されたりするため、最終的な旅行計画は全員が総じて満足するものとならない。
【０００６】
本発明は、上記の課題に鑑みてなされたものであり、その目的とするところは、旅行者全員が総じて満足するような旅行計画の作成を可能とする技術を提供することにある。
【課題を解決するための手段】
【０００７】
上記の課題を解決するために、本発明の旅行計画作成装置は、複数の地域と複数の旅行者を対象として、１つの前記地域と１人の前記旅行者とからなる組ごとに、当該地域に対する当該旅行者の満足度である地域旅行者満足度が記憶される地域旅行者満足度記憶手段と、前記地域ごとに、前記地域旅行者満足度記憶手段から読み出した当該地域についての全ての地域旅行者満足度に基づいて、当該地域についての前記全ての旅行者の満足度である地域総合満足度を算出し、当該地域総合満足度が大きい地域を選択する地域選択手段と、前記選択された地域を含む経路候補ごとに、前記地域旅行者満足度記憶手段から読み出した当該経路候補の全ての地域についての全ての地域旅行者満足度に基づいて、当該経路候補についての前記全ての旅行者の満足度である経路候補総合満足度を算出する経路探索手段と、前記経路候補ごとに当該経路候補について計算された経路候補総合満足度が記憶される経路候補総合満足度記憶手段と、前記経路候補総合満足度記憶手段に記憶された経路候補総合満足度が大きい経路候補を選択する選択手段とを備えることを特徴とする。
【発明の効果】
【０００８】
本発明によれば、旅行者全員が総じて満足するような旅行計画の作成が可能となる。
【図面の簡単な説明】
【０００９】
【図１】本実施の形態に係る旅行計画作成装置の概略的なブロック図である。
【図２】興味語集合の一例である。
【図３】地域毎頻度データベース２の一例である。
【図４】地域旅行者満足度記憶部３の一例である。
【図５】地域総合満足度の一例である。
【図６】経路探索部５の動作を示すフローチャートである。
【図７】経路候補総合満足度記憶部７の一例である。
【発明を実施するための形態】
【００１０】
以下、本発明の実施の形態について図面を参照して説明する。
【００１１】
図１は、本実施の形態に係る旅行計画作成装置の概略的なブロック図である。
【００１２】
旅行計画作成装置は、複数の旅行者による旅行の旅行計画を作成する装置であり、地域旅行者満足度算出部１と、地域毎頻度データベース２と、地域旅行者満足度記憶部３と、地域選択部４と、経路探索部５と、経路候補情報記憶部６と、経路候補総合満足度記憶部７と、経路選択部８とを備える。
【００１３】
地域旅行者満足度算出部１は、与えられる興味語集合と地域毎頻度データベース２に基づき、複数の地域と前記複数の旅行者を対象として、１つの地域と１人の旅行者とからなる組ごとに、組の旅行者に関する興味語が組の地域に強く関連するほど高くなるような地域旅行者満足度を算出し、地域旅行者満足度記憶部３に記憶させる。
【００１４】
地域選択部４は、地域ごとに、地域旅行者満足度記憶部３から読み出した当該地域についての全ての地域旅行者満足度に基づいて、当該地域についての全ての旅行者の満足度である地域総合満足度を算出し、地域総合満足度が大きい地域を選択する。
【００１５】
経路探索部５は、選択された地域を含む経路候補であり且つ当該経路候補での旅行時間が所定の旅行時間以下であるものを検索し、該当の経路候補ごとに、地域旅行者満足度記憶部３から読み出した当該経路候補の全ての地域についての全ての地域旅行者満足度に基づいて、当該経路候補についての全ての旅行者の満足度である経路候補総合満足度を算出し、経路候補総合満足度記憶部７に記憶させる。
【００１６】
経路候補情報記憶部６には、経路探索部５による処理の過程で、経路候補に対応する経路候補情報が記憶される。
【００１７】
経路選択部８は、経路候補総合満足度記憶部７に記憶された経路候補総合満足度が大きい経路候補を選択し、当該経路候補の旅行計画を作成する。
【００１８】
次に、旅行計画作成装置の動作を具体的に説明する。以下、旅行者をｕ１、ｕ２、ｕ３、ｕ４の４人とし、地域をｌ１、ｌ２、ｌ３、…と表現する。
【００１９】
図２は、興味語集合の一例である。
【００２０】
興味語集合は、例えば、旅行者ｕ１の興味を示す興味語「ラーメン」、「蕎麦」、「うどん」、「パスタ」、旅行者ｕ２の興味を示す興味語「城」、「歴史」、「神社」、「寺院」、旅行者ｕ３の興味を示す興味語「自然」、「花」、「鳥」、「動物」、「植物」、旅行者ｕ４の興味を示す興味語「ビール」、「ワイン」、「ウィスキー」、「焼酎」を含む。
【００２１】
図３は、地域毎頻度データベース２の一例である。
【００２２】
地域毎頻度データベース２は、地域ごとのレコードを含む。
【００２３】
地域ｌ１のレコードには、全興味語の全体頻度「８０００」ならびに、興味語ｋ１との共起頻度「４」、興味語ｋ２との共起頻度「８」、興味語ｋ３との共起頻度「１２」など、各興味語との共起頻度を含む。他のレコードも、全体頻度ならびに、各興味語との共起頻度を含む。
【００２４】
地域旅行者満足度算出部１は、地域ｌｉと旅行者ｕｉの組のそれぞれについての地域旅行者満足度ｓ（ｌｉ，ｕｉ）を式（１）により算出する。
【数１】
0005973406.tif 000002
【００２５】
ｐは、地域毎頻度データベース２における地域ｌｉのレコード内の全体頻度を地域毎頻度データベース２における全体頻度の総和で除した値である。
【００２６】
ｑは、地域毎頻度データベース２における地域ｌｉのレコード内の全体頻度から旅行者ｕｉの興味語の共起頻度（興味語が複数の場合は共起頻度の総和）を引いた値を各レコードの全体頻度から旅行者ｕｉの興味語の共起頻度（興味語が複数の場合は共起頻度の総和）を引いた値の総和で除した値である。
【００２７】
図３の例だと、例えば、旅行者ｕｉの興味語が興味語ｋ１だけだとすると、
ｐ＝８０００／（８０００＋４０００＋２０００＋１０００＋５００＋５００＋…）
であり、
ｑ＝（８０００−４）／｛（８０００−４）＋（４０００−８）＋（２０００−１６）＋（１０００−２）＋（５００−２）＋（５００−１）＋…｝である。
【００２８】
式（１）は、ＫＬダイバージェンスの考え方に基づいており、該当地域が該当旅行者の興味語について話題になっていなければｐとｑはほぼ同じであり、地域旅行者満足度は０に近い値となる。該当地域が該当旅行者の興味語について話題になっていればｐよりｑが小さくなり、地域旅行者満足度は高い値となる。
【００２９】
なお、地域旅行者満足度は、該当地域が該当旅行者の興味語について話題になっているほど高くなればよく、例えば、ＪＳダイバージェンスやポアソン確率を利用したものでもよい。
【００３０】
図４は、地域旅行者満足度記憶部３の一例である。
【００３１】
図４の例だと、地域ｌ１（＝ｌｉ）と旅行者ｕ１の組についての地域旅行者満足度ｓ（ｌｉ，ｕ１）は、０．０９９であり、地域ｌ１（＝ｌｉ）と旅行者ｕ２の組についての地域旅行者満足度ｓ（ｌｉ，ｕ２）は、０．８８６であり、地域ｌ１（＝ｌｉ）と旅行者ｕ３の組についての地域旅行者満足度ｓ（ｌｉ，ｕ３）は、０．３３４であり、地域ｌ１（＝ｌｉ）と旅行者ｕ４の組についての地域旅行者満足度ｓ（ｌｉ，ｕ４）は、０．５６０である。他の地域についても地域旅行者満足度が記憶される。
【００３２】
地域選択部４は、まず、各地域ｌｉについて地域総合満足度ｓｃｏｒｅ（ｌｉ，Ｕ）を式（２）により算出する。つまり、地域選択部４は、地域旅行者満足度記憶部３から読み出した該当地域についての全ての地域旅行者満足度に基づいて、当該地域についての全ての旅行者の満足度である地域総合満足度を算出する。
【数２】
0005973406.tif 000003
【００３３】
ｗｊは、旅行者ｕｊに対する重みであり、ｗｊの高い旅行者の地域旅行者満足度が高いほど地域総合満足度も高くなりやすくなる。ある旅行者のお祝いを目的とした旅行など、特定の旅行者が特に満足するような旅行計画を立てる場合にはその旅行者の重みを高くするのが好ましい。
【００３４】
図５は、地域総合満足度の一例である。
【００３５】
便宜的にｗｊを全て１とすると、地域ｌ１の地域総合満足度ｓｃｏｒｅ（ｌｉ，Ｕ）は、０．０９９×０．８８６×０．３３４×０．５６０＝０．０１６となる。地域選択部４は、他の地域についても、図のような地域総合満足度を得る。
【００３６】
そして、地域選択部４は、最大の地域総合満足度「０．１４０」に対応する地域ｌ４を選択する。例えば、地域ｌ４が旅行の起点となる。なお、地域総合満足度の高い方から２地域以上を選択してもよい。また、選択した地域を旅行の終点としてもよい。
【００３７】
図６は、経路探索部５の動作を示すフローチャートである。
【００３８】
経路探索部５は、まず、選択された地域（例えば、地域ｌ４）の識別情報を含む経路候補情報を経路候補情報記憶部６に記憶させる（Ｓ１）。
【００３９】
次に、経路探索部５は、経路候補情報記憶部６に経路候補情報があるか否かを判定する（Ｓ３）。
【００４０】
経路探索部５は、経路候補情報記憶部６に経路候補情報がないなら（Ｓ３：ＮＯ）、処理を終える一方、あるなら（Ｓ３：ＹＥＳ）、ステップＳ５へ進む。経路候補情報は、当初は、選択された地域の識別情報を含むので、ステップＳ５へ進む。
【００４１】
経路探索部５は、ステップＳ５では、経路候補情報記憶部６から１つの経路候補情報を取り出すとともに経路候補情報記憶部６から当該経路候補情報を削除する（Ｓ５）。この時点で、経路候補情報記憶部６は空になる。取り出した経路候補情報を以下、単に経路候補情報という。
【００４２】
次に、経路探索部５は、地域を示す変数ｉを１で初期化し（Ｓ７）、地域ｌｉの識別情報を経路候補情報に加える（Ｓ９）。
【００４３】
次に、経路探索部５は、経路候補情報において識別情報の重複があるか否かを判定する（Ｓ１１）。
【００４４】
経路探索部５は、識別情報の重複がないなら（Ｓ１１：なし）、経路候補情報に対応する経路候補での旅行時間（例えば、経路候補情報内の各識別情報に対応する地域を移動した場合の移動時間と滞在時間の合計）が所定の旅行時間（例えば１５時間）以下であるか否かを判定する（Ｓ１３）。
【００４５】
例えば、経路探索部５は、経路候補情報に対応する各地域を最短距離で結ぶような経路候補の旅行時間について判定を行う。
【００４６】
例えば、経路探索部５は、起点の地域（地域選択部４により選択された地域）から、経路候補情報に追加された順に地域を移動するような旅行の旅行時間について判定を行う。この場合、ステップＳ９では、識別番号を経路候補情報の末尾に追加する。なお、識別番号を経路候補情報の先頭側に追加し、つまり選択された地域を終点としてもよい。
【００４７】
また、経路候補は、最初に選択された地域を起点や終点としたものに限らず、選択された各地域を移動するようなものであればよい。
【００４８】
経路探索部５は、経路候補情報に対応する旅行時間が所定の旅行時間以下なら（Ｓ１３：ＹＥＳ）、式（３）により経路候補総合満足度ｓｃｏｒｅ（Ｌ，Ｕ）を算出する（Ｓ１５）。つまり、経路探索部５は、地域旅行者満足度記憶部３から読み出した当該経路候補の全ての地域についての全ての地域旅行者満足度に基づいて、当該経路候補についての全ての旅行者の満足度である経路候補総合満足度を算出する。
【数３】
0005973406.tif 000004
【００４９】
ｌｉは、経路候補情報内の任意の識別情報に対応する地域を示す。
【００５０】
ｕｊは、任意の旅行者を示す。
【００５１】
ｗｊは、旅行者ｕｊに対する重みである。
【００５２】
経路候補総合満足度は、該当地域の地域旅行者満足度の和を各旅行者について掛け合わせた値なので、特定の旅行者の地域旅行者満足度の和が非常に高い場合の経路候補総合満足度よりも、多くの旅行者の地域旅行者満足度の和が高い経路候補総合満足度の方が高くなりやすい。
【００５３】
例えば、便宜的にｗｊを全て１とすると、地域ｌ１、ｌ４の識別情報を含む経路候補情報の経路候補総合満足度は、（０．０９９＋０．９４９）×（０．８８６＋０．３２４）×（０．３３４＋０．７２０）×（０．５６０＋０．６３１）＝１．５９２となる。
【００５４】
次に、経路探索部５は、算出した経路候補総合満足度を経路候補情報に対応づけて経路候補総合満足度記憶部７に記憶させる（Ｓ１７）。
【００５５】
次に、経路探索部５は、経路候補情報を経路候補情報記憶部６に記憶させる（Ｓ１９）。この時点で、経路候補情報記憶部６は空でなくなる。
【００５６】
経路探索部５は、識別情報の重複があるなら（Ｓ１１：あり）、または、経路候補情報に対応する旅行時間が所定の旅行時間を超えているなら（Ｓ１３：ＮＯ）、または、経路候補情報を経路候補情報記憶部６に記憶させたなら（Ｓ１９）、変数ｉが地域総数に達したか否かを判定する（Ｓ２１）。
【００５７】
経路探索部５は、変数ｉが地域総数に達していないなら（Ｓ２１：ＮＯ）、変数ｉに１を加算し（Ｓ２３）、ステップＳ９に戻る一方、変数ｉが地域総数に達しているなら（Ｓ２１：ＹＥＳ）、ステップＳ３に戻る。
【００５８】
例えば、地域ｌ４、ｌ１の識別情報からなる経路候補情報を「ｌ４，ｌ１」のように表現する。
【００５９】
ステップＳ２１で最初にＹＥＳと判定された際には、２つの識別情報を含む経路候補情報について処理が全て終わったこととなる。
【００６０】
その各経路候補情報に対応する旅行時間が所定の旅行時間以下であるなら、経路候補情報記憶部６には、経路候補情報「ｌ４，ｌ１」、「ｌ４，ｌ２」、「ｌ４，ｌ３」、「ｌ４，ｌ５」、「ｌ４，ｌ６」、「ｌ４，ｌ７」、「ｌ４，ｌ８」、「ｌ４，ｌ９」が存在する。
【００６１】
したがって、ステップＳ３ではＮＯと判定され、ステップＳ５に進む。
【００６２】
そして、３つの識別情報を含む経路候補情報について処理が全て終わり（Ｓ２１：ＹＥＳ）、その各経路候補情報に対応する旅行時間が所定の旅行時間を超えているなら、経路候補情報記憶部６は空となる。
【００６３】
したがって、ステップＳ３ではＹＥＳと判定され、処理が終わる。
【００６４】
図７は、経路候補総合満足度記憶部７の一例である。
【００６５】
経路候補総合満足度記憶部７には、例えば、地域ｌ４、ｌ１の識別情報を含む経路候補情報に対応づけて、経路候補総合満足度ｓｃｏｒｅ（Ｌ，Ｕ）の値「１．５９２」が記憶される。経路候補総合満足度記憶部７には、他の経路候補についても経路候補情報と経路候補総合満足度が記憶される。
【００６６】
経路選択部８は、経路候補総合満足度記憶部７における最大の経路候補総合満足度に対応する経路候補を選択し、この経路候補についての旅行計画を作成する。
【００６７】
図７では、ｓｃｏｒｅ（Ｌ，Ｕ）「２．９５７」が最大なので、地域ｌ４、ｌ６を訪れる経路候補（旅行）の旅行計画が作られる。
【００６８】
例えば、地域ｌ４と旅行者ｕ２の組についての地域旅行者満足度は「０．３２４」であり、あまり高くないが、地域ｌ６と旅行者ｕ２の組についての地域旅行者満足度は「０．９５７」であり、すなわち、旅行者全員が総じて満足できるような旅行計画を作成することができる。
【００６９】
なお、最大の経路候補総合満足度に対応する経路候補についての旅行計画だけでなく、経路候補総合満足度の高い順に２つ以上の経路候補を選択し、それぞれの旅行計画を作成してもよい。また、経路候補総合満足度の上位Ｘ（予め定めた率）％に対する経路候補を選択し、それぞれの旅行計画を作成してもよい。
【００７０】
また、旅行計画は、満足度以外の要素を考慮してもよく、例えば、旅行者が必ず行きたいと思っている地域を含めたり、宿の好みや予算を考慮してもよい。
【００７１】
以上のように、本実施の形態の旅行計画作成装置は、１つの地域と１人の旅行者とからなる組ごとに、当該地域に対する当該旅行者の満足度である地域旅行者満足度が記憶される地域旅行者満足度記憶手段（３）と、地域ごとに、地域旅行者満足度記憶手段（３）から読み出した当該地域についての全ての地域旅行者満足度に基づいて、当該地域についての全ての旅行者の満足度である地域総合満足度を算出し、地域総合満足度が大きい地域を選択する地域選択手段（４）と、選択された地域を含む経路候補ごとに、地域旅行者満足度記憶手段（３）から読み出した当該経路候補の全ての地域についての全ての地域旅行者満足度に基づいて、当該経路候補についての全ての旅行者の満足度である経路候補総合満足度を算出する経路探索手段（５）と、経路候補ごとに当該経路候補について計算された経路候補総合満足度が記憶される経路候補総合満足度記憶手段（７）と、経路候補総合満足度記憶手段（７）に記憶された経路候補総合満足度が大きい経路候補を選択する選択手段（８）とを備えるので、旅行者全員が総じて満足するような旅行計画の作成が可能となる。
【００７２】
また、旅行計画作成装置は、組ごとに、組の旅行者に関する興味語が組の地域に強く関連するほど高くなるような地域旅行者満足度を算出し、地域旅行者満足度記憶手段（２）に記憶させる地域旅行者満足度算出手段（１）を備える。
【００７３】
また、旅行計画作成装置は、経路候補に対応する経路候補情報が記憶される経路候補情報記憶手段（６）を備え、経路探索手段（５）は、選択された地域の識別情報を含む経路候補情報を経路候補情報記憶手段（６）に記憶させ（Ｓ１）、（１）経路候補情報記憶手段（６）から１つの経路候補情報を取り出すとともに経路候補情報記憶手段（６）から当該経路候補情報を削除し（Ｓ５）、（２）各地域につき、当該地域の識別情報を当該経路候補情報に加え（Ｓ９）、（３）加えた後の経路候補情報内で識別情報の重複がなく（Ｓ１１：なし）、且つ、対応する経路候補での旅行時間が所定の旅行時間以下である（Ｓ１３：ＹＥＳ）ことを条件に経路候補総合満足度を計算し（Ｓ１５）、（４）当該経路候補総合満足度を経路候補総合満足度記憶手段（７）に記憶させ（Ｓ１７）、（５）当該経路候補情報を経路候補情報記憶手段（６）に記憶させる（Ｓ１９）処理（１、２、３、４、５）を、経路候補情報記憶手段（６）に経路候補情報がある限り（Ｓ３：ＹＥＳ）行う。
【００７４】
なお、本実施の形態の旅行計画作成装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００７５】
１…地域旅行者満足度算出部
２…地域毎頻度データベース
３…地域旅行者満足度記憶部
４…地域選択部
５…経路探索部
６…経路候補情報記憶部
７…経路候補総合満足度記憶部
８…経路選択部
【図１】
0005973406.tif 000005
【図２】
0005973406.tif 000006
【図３】
0005973406.tif 000007
【図４】
0005973406.tif 000008
【図５】
0005973406.tif 000009
【図６】
0005973406.tif 000010
【図７】
0005973406.tif 000011